(57)【要約】【課題】ユーザが日常的に利用する各種機器からの情報を用いることにより、ユーザの嗜好をより適切に反映した移動先をユーザに対して推奨する移動先推奨装置を提供する。【解決手段】ＴＶ端末２００およびＷｅｂ端末３００におけるユーザの操作履歴に基づいて、操作履歴に関連する地名およびジャンル名を関連付けてＨＤＤ１０３に記憶させる日常興味情報収集部１１１と、ＨＤＤ１０３に記憶された複数の地名およびジャンル名を解析する日常興味解析部１１２と、解析の結果に基づいて、ユーザに対し移動先の候補に関する情報を報知すると共に、ユーザによる入力装置１０４からの入力信号を受信する対話入出力部１１３と、対話入出力部１１３が受信した入力信号に基づいて、ユーザに推奨する移動先の選定を行う移動先選定部１１４と、推奨する移動先をユーザに対し提示する移動先出力部１１５と、を備える移動先推奨装置１００。【選択図】図１
2011113393.tif 000002
【特許請求の範囲】
【請求項１】
所定の電子機器におけるユーザの操作履歴に基づいて、前記操作履歴に関連する地名およびジャンル名を関連付けて記憶媒体に記憶させる記憶手段と、
前記記憶媒体に記憶された複数の地名およびジャンル名を解析する解析手段と、
前記解析手段による解析の結果に基づいて、ユーザに対し移動先の候補に関する情報を報知する報知手段と、
前記報知手段による報知に応じた、ユーザによる入力装置からの入力信号を受信する受信手段と、
前記受信手段が受信した前記入力信号に基づいて、ユーザに推奨する移動先の選定を行う選定手段と、
前記選定手段により選定された前記推奨する移動先をユーザに対し提示する提示手段と、
を備えることを特徴とする移動先推奨装置。
【請求項２】
請求項１に記載の移動先推奨装置において、
前記選定手段は、前記入力信号が地名を表す信号であった場合には該地名を前記推奨する移動先として選定し、前記入力信号が地名を表す信号ではなかった場合には、前記入力信号に基づいて前記記憶媒体から地名を抽出すると共に該地名を前記推奨する移動先として選定することを特徴とする移動先推奨装置。
【請求項３】
請求項２に記載の移動先推奨装置において
前記記憶手段は、前記記憶媒体へ地名およびジャンル名と共に該地名に関連するキーワードを記憶させ、
前記選定手段は、前記入力信号がキーワードを表す信号であった場合、前記記憶媒体から該キーワードに関連付けられた地名を抽出すると共に、該地名を前記推奨する移動先として選定することを特徴とする移動先推奨装置。
【請求項４】
請求項１〜３のいずれか一項に記載の移動先推奨装置において、
テレビ番組のジャンル名および説明文を含む番組情報を取得する番組情報取得手段を更に備え、
前記所定の電子機器はテレビ受像器であり、
前記記憶手段は、前記操作履歴がテレビ番組の視聴履歴である場合、前記番組情報の説明文に含まれる地名と、前記番組情報に含まれるジャンル名とを関連付けて前記記憶媒体に記憶させることを特徴とする移動先推奨装置。
【請求項５】
請求項１〜４のいずれか一項に記載の移動先推奨装置において、
自車両の経路誘導を行う経路誘導手段を更に備え、
前記経路誘導手段は、前記選定手段により選定された前記推奨する移動先へ経路誘導を行うことを特徴とする移動先推奨装置。
【発明の詳細な説明】
【技術分野】
【０００１】
本発明は、移動先推奨装置に関する。
【背景技術】
【０００２】
カーナビゲーション装置などを用いてドライブを行う際に、ユーザの嗜好を分析して適切な目的地の候補地をユーザに提示する技術が知られている。例えば特許文献１には、特定の楽曲やテキスト文章などに基づいてドライブの候補地を決定し、ユーザに提示する車載用電子システムが記載されている。
【先行技術文献】
【特許文献】
【０００３】
【特許文献１】特開２００２−３６５０７５号公報
【発明の概要】
【発明が解決しようとする課題】
【０００４】
特許文献１に記載されている車載用電子システムは、ドライブプランを作成する際に基準とする情報が走行時のものに限られてしまうので、ユーザの嗜好を適切に反映できないという問題があった。
【課題を解決するための手段】
【０００５】
請求項１に係る発明は、所定の電子機器におけるユーザの操作履歴に基づいて、操作履歴に関連する地名およびジャンル名を関連付けて記憶媒体に記憶させる記憶手段と、記憶媒体に記憶された複数の地名およびジャンル名を解析する解析手段と、解析手段による解析の結果に基づいて、ユーザに対し移動先の候補に関する情報を報知する報知手段と、報知手段による報知に応じた、ユーザによる入力装置からの入力信号を受信する受信手段と、受信手段が受信した入力信号に基づいて、ユーザに推奨する移動先の選定を行う選定手段と、選定手段により選定された推奨する移動先をユーザに対し提示する提示手段と、を備えることを特徴とする移動先推奨装置である。
【発明の効果】
【０００６】
本発明によれば、ユーザが日常的に利用する各種機器からの情報を用いることにより、ユーザの嗜好をより適切に反映した移動先をユーザに対して推奨することができる。
【図面の簡単な説明】
【０００７】
【図１】本発明の第１の実施の形態である推奨移動先情報配信システムの構成を示す図である。
【図２】移動先推奨装置１００の構成を示すブロック図である。
【図３】日常興味ＤＢ１１６の構成を示す図である。
【図４】キーワードＤＢ１１７の構成を示す図である。
【図５】制御回路１０１による収集処理のフローチャートである。
【図６】日常興味解析部１１２により作成される解析表を示す図である。
【図７】制御回路１０１による推奨処理のフローチャートである。
【図８】本発明の第２の実施の形態である推奨移動先情報配信システムの構成を示す図である。
【発明を実施するための形態】
【０００８】
（第１の実施の形態）
図１は、本発明の第１の実施の形態である推奨移動先情報配信システムの構成を示す図である。本システムには、テレビ番組を視聴可能なＴＶ端末２００と、ＷＷＷ（World Wide Web）によるウェブサイトの閲覧が可能なＷｅｂ端末３００と、特定の地名を移動先として推奨する移動先推奨装置１００と、が含まれる。ＴＶ端末２００およびＷｅｂ端末３００には、可搬記憶媒体１０７を接続することができる。可搬記憶媒体１０７は、例えば書き換え可能な半導体記憶媒体である。
【０００９】
ＴＶ端末２００は、可搬記憶媒体１０７が接続された状態でテレビ番組の視聴が行われると、可搬記憶媒体１０７へＴＶ視聴履歴２０１を記憶させる。ＴＶ視聴履歴２０１は、ＴＶ端末２００により視聴されたテレビ番組を特定するための情報である。本実施形態では、ＴＶ視聴履歴２０１はテレビ番組を視聴した日時および視聴したチャンネルを表す情報である。
【００１０】
Ｗｅｂ端末３００は、可搬記憶媒体１０７が接続された状態でウェブサイトの検索が行われると、可搬記憶媒体１０７へ検索履歴３０１を記憶させる。検索履歴３０１は、ウェブサイトの検索を行う際にユーザが入力した検索キーワードである。
【００１１】
移動先推奨装置１００は単体で動作する装置であり、ＴＶ端末２００およびＷｅｂ端末３００と同様に、可搬記憶媒体１０７を接続することができる。ＴＶ視聴履歴２０１および検索履歴３０１の少なくとも一方が記憶された可搬記憶媒体１０７を移動先推奨装置１００へ接続すると、移動先推奨装置１００は可搬記憶媒体１０７の記憶内容に基づいて日常興味情報を収集する。移動先推奨装置１００は、このようにして収集された日常興味情報に基づいて、移動先を推奨する。
【００１２】
図２は、移動先推奨装置１００の構成を示すブロック図である。移動先推奨装置１００は、ＣＰＵや主記憶装置等を含む制御回路１０１と、制御回路１０１にそれぞれ接続された不揮発性メモリ１０２、ハードディスクドライブ（ＨＤＤ）１０３、入力装置１０４、可搬記憶媒体インタフェース（Ｉ／Ｆ）１０５、表示装置１０６、および番組情報取得装置１０８と、から構成される。
【００１３】
不揮発性メモリ１０２は例えばフラッシュメモリ等の不揮発性の記憶媒体である。不揮発性メモリ１０２には、制御回路１０１のＣＰＵが実行するための制御プログラムが格納されている。ＨＤＤ１０３は制御回路１０１により読み書きが行われる記憶装置である。ＨＤＤ１０３には、ジャンル名とキーワード群とを対応付けたキーワードデータベース（ＤＢ）１１７と、都道府県や都市名などの地名が格納された地名ＤＢ１１８と、が予め記憶されている。
【００１４】
入力装置１０４は例えばキーパッドやタッチパネル等の入力装置であり、ユーザの操作に応じて制御回路１０１へ入力信号を送信する。可搬記憶媒体Ｉ／Ｆ１０５は可搬記憶媒体１０７に記憶されている情報を読み取るためのインタフェースである。制御回路１０１は可搬記憶媒体Ｉ／Ｆ１０５を介して、可搬記憶媒体１０７からＴＶ視聴履歴２０１や検索履歴３０１を読み取ることができる。表示装置１０６は例えば液晶モニタ等の表示装置である。番組情報取得装置１０８は、特定の番組の番組情報を、例えばＥＰＧ（電子番組ガイド）システムなどを用いて取得する。番組情報取得装置１０８は、外部から番組情報を受信することにより番組情報を取得してもよいし、予めＨＤＤ１０３などの記憶媒体に格納されている番組情報データベースから特定の番組の番組情報を抽出してもよい。
【００１５】
制御回路１０１は、日常興味情報収集部１１１、日常興味解析部１１２、対話入出力部１１３、移動先選定部１１４、および移動先出力部１１５を機能的に備える。これらの各部は、制御回路１０１内のＣＰＵが、不揮発性メモリ１０２に格納されている所定の制御プログラムを実行することによりソフトウェア的に実現される。日常興味情報収集部１１１は更に、番組視聴情報収集部１２１と、Ｗｅｂ検索情報収集部１２２と、を備える。
【００１６】
制御回路１０１は、ユーザの日常興味情報を収集する処理（以下、収集処理という）と、ユーザに対して移動先を推奨する処理（以下、推奨処理という）と、の２つの処理を実行する。以下、これら２つの処理について順に説明する。
【００１７】
（収集処理の説明）
収集処理は、日常興味情報収集部１１１により実行される。日常興味情報収集部１１１は、可搬記憶媒体１０７から読み取ったＴＶ視聴履歴２０１や検索履歴３０１に基づいて、ＨＤＤ１０３内の日常興味ＤＢ１１６を更新する。
【００１８】
図３は、日常興味ＤＢ１１６の構成を示す図である。例えばユーザが１回ＴＶ視聴を行うと、可搬記憶媒体１０７にはＴＶ視聴履歴２０１が１件書き込まれ、番組視聴情報収集部１２１により日常興味ＤＢ１１６へレコードが１つ追加される。日常興味ＤＢ１１６の各レコードは、カテゴリＩＤ１１６ａと、ジャンル名１１６ｂと、キーワード１１６ｃと、地名１１６ｄと、から構成される。
【００１９】
カテゴリＩＤ１１６ａは、当該レコード作成の基となったデータを表すＩＤである。本実施形態では、番組視聴情報収集部１２１によりＴＶ視聴履歴２０１から作成されたレコードはカテゴリＩＤ１１６ａが「Ｃ０１」とされる。同様に、Ｗｅｂ検索情報収集部１２２により検索履歴３０１から作成されたレコードはカテゴリＩＤ１１６ａが「Ｃ０２」とされる。
【００２０】
ジャンル名１１６ｂはこのレコードが属するジャンルの名称を表し、所定のジャンル名からいずれか１つが選択される。キーワード１１６ｃはこのレコードに関連付けられたキーワードである。地名１１６ｄはこのレコードに関連付けられた地名である。ここでいう「地名」とは、例えば特定の地点を表す都道府県名や市区町村名の組み合わせであったり、あるいは特定の店名や施設名等である。ジャンル名１１６ｂ、キーワード１１６ｃ、および地名１１６ｄの取得方法は後に説明する。
【００２１】
図４は、キーワードＤＢ１１７の構成を示す図である。キーワードＤＢ１１７はＷｅｂ検索情報収集部１２２により、特定の検索キーワードから関連するジャンル名を求めるために用いられる。キーワードＤＢ１１７には、所定のジャンル名１１７ａとそのジャンル名に対応するキーワード群１１７ｂとが予め多数格納されている。キーワードＤＢ１１７を利用することで、特定のキーワードからそのキーワードと関連するジャンル名を求めることが可能である。
【００２２】
図５は、制御回路１０１による収集処理のフローチャートである。制御回路１０１が不揮発性メモリ１０２に格納されている所定の制御プログラムを実行することにより図４の収集処理が実行される。まずステップＳ５１０では、日常興味情報収集部１１１が可搬記憶媒体１０７に記憶されている各種データの読み取りを行う。ステップＳ５２０では、日常興味情報収集部１１１が可搬記憶媒体１０７から読み取ったデータの種別を判定する。可搬記憶媒体１０７から読み取ったデータがＴＶ視聴履歴２０１であった場合、収集処理はステップＳ５３０へ進む。
【００２３】
ステップＳ５３０では、番組視聴情報収集部１２１が番組情報取得装置１０８により、ＴＶ視聴履歴２０１に対応する番組の番組情報を取得する。ステップＳ５４０では、番組視聴情報収集部１２１がステップＳ５３０で取得した番組情報から、日常興味ＤＢ１１６へ格納するためのジャンル名１１６ｂ、キーワード１１６ｃ、および地名１１６ｄを取得する。例えば番組情報取得装置１０８がＥＰＧシステムを用いて番組情報を取得する場合、番組視聴情報収集部１２１はＥＰＧデータに含まれる番組のジャンル名をそのまま日常興味ＤＢ１１６におけるジャンル名１１６ｂとして取得する。また番組視聴情報収集部１２１は、形態素解析など公知の技術により、ＥＰＧデータに含まれる番組の説明文からキーワードおよび地名を抽出する。
【００２４】
番組視聴情報収集部１２１は、番組の説明文に含まれる特定の語句について、その語句が地名か否かを判断する際、ＨＤＤ１０３に格納されている地名ＤＢ１１８（図２）を用いる。すなわち、番組の説明文に含まれていた語句を地名ＤＢ１１８から検索し、地名として地名ＤＢ１１８に格納されているか否かを判断することにより、特定の語句が地名か否かを判断する。
【００２５】
その後、収集処理はステップＳ５７０に進む。ステップＳ５７０では、日常興味情報収集部１１１が、ステップＳ５４０において取得されたジャンル名、キーワードおよび地名を含むレコードを日常興味ＤＢ１１６へ格納する。このとき、カテゴリＩＤ１１６ａは「Ｃ０１」とする。
【００２６】
他方、ステップＳ５２０において、可搬記憶媒体１０７から読み取ったデータが検索履歴３０１であった場合、収集処理はステップＳ５５０へ進む。ステップＳ５５０では、Ｗｅｂ検索情報収集部１２２は、検索履歴３０１に含まれている検索キーワードをキーワードＤＢ１１７のキーワード群１１７ｂから検索する。ステップＳ５６０では、Ｗｅｂ検索情報収集部１２２は、検索キーワードをキーワード群１１７ｂに含むレコードが発見されたか否かを判定する。対応するレコードが発見されなかった場合には、日常興味情報収集部１１１は日常興味ＤＢ１１６へのレコードの書き込みを行わずに収集処理を終了する。他方、対応するレコードが発見された場合には、収集処理はステップＳ５７０に進む。
【００２７】
ステップＳ５７０では、日常興味情報収集部１１１が、ステップＳ５５０で検索されたキーワードＤＢ１１７のレコードにおけるジャンル名１１７ａと、検索履歴３０１に含まれていた検索キーワードと、検索されたＷｅｂページに含まれる文章に対し周知の形態素解析処理を適用し抽出された地名と、を含むレコードを日常興味ＤＢ１１６へ格納する。このとき、カテゴリＩＤ１１６ａは「Ｃ０２」とする。
【００２８】
なお可搬記憶媒体１０７に複数種のデータが記憶されていた場合、日常興味情報収集部１１１はステップＳ５２０〜Ｓ５７０の処理をデータ毎に繰り返し実行する。また、ステップＳ５４０において、１つのＥＰＧデータから複数のキーワードおよび地名が抽出された場合、日常興味情報収集部１１１はそれら全てをそれぞれ別々のレコードとして日常興味ＤＢ１１６へ格納する。
【００２９】
以上で説明した収集処理は、推奨処理が実行される前に複数回実行してよい。実行する度に、ＨＤＤ１０３に格納されている日常興味ＤＢ１１６が更新される。
【００３０】
（推奨処理の説明）
推奨処理は、日常興味解析部１１２、対話入出力部１１３、移動先選定部１１４、および移動先出力部１１５により実行される。まず日常興味解析部１１２が、ＨＤＤ１０３から日常興味ＤＢ１１６を読み出し、内容の解析を行う。
【００３１】
図６は、日常興味解析部１１２により作成される解析表を示す図である。日常興味解析部１１２は、日常興味ＤＢ１１６において、特定のジャンル名のレコードが何件存在するかを解析し、図６に示す解析表１３１を作成する。すなわち、図６に示す解析表１３１のレコードＲ１は、日常興味ＤＢ１１６において、ジャンル名１１６ｂが「スポーツ」であるレコードが１２件存在していたことを表す。同様に、レコードＲ２は、日常興味ＤＢ１１６にジャンル名１１６ｂが「情報／ワイドショー」であるレコードが８件存在していたことを表す。
【００３２】
日常興味解析部１１２はその後、解析表１３１からレコード数１３１ｂが最も多い３つのジャンル名１３１ａを抽出する。そして、それらの各ジャンル名１３１ａについて、レコード数１３１ｂの比率に応じた数だけ日常興味ＤＢ１１６から特定のジャンル名１１６ｂのレコードを最大で１０件だけ抽出する。
【００３３】
以下、具体的に例を挙げて、日常興味解析部１１２による上記の処理を説明する。例えば、解析表１３１における上位３つのジャンル名１３１ａが「スポーツ」、「情報／ワイドショー」、「音楽」であり、当該ジャンル名のレコード数がそれぞれ１２件、８件、６件であったとする。このとき日常興味解析部１１２は、日常興味ＤＢ１１６から、ジャンル名１１６ｂが「スポーツ」であるレコードと、「情報／ワイドショー」であるレコードと、「音楽」であるレコードと、をそれぞれ１２対８対６の割合で、計１０件だけ抽出する。
【００３４】
すなわち、ジャンル名１１６ｂが「スポーツ」であるレコードは、１０×１２／（１２＋８＋６）＝４．６であるので５件が抽出されることになる。同様に、「情報／ワイドショー」であるレコードは３件、「音楽」であるレコードは２件が抽出されることとなる。
【００３５】
なお、日常興味ＤＢ１１６にこれらのジャンル名１１６ｂを有するレコードが１０件未満しか存在しない場合には、日常興味解析部１１２はそれら全てのレコードを抽出する。また、例えばジャンル名１１６ｂが「スポーツ」であるレコードが５件より多く存在する場合、日常興味解析部１１２はそれらレコードの中から５つのレコードを無作為に抽出してもよいし、過去に抽出されたことのないレコードを優先的に抽出するようにしてもよい。あるいは、これら以外の基準によりレコードの抽出を行うようにしてもよい。
【００３６】
日常興味解析部１１２は、抽出したレコードにおけるキーワード１１６ｃと地名１１６ｄとを解析結果として出力する。この解析結果は、対話入出力部１１３および移動先選定部１１４に出力される。対話入出力部１１３は、上記の解析結果に含まれる全ての地名１１６ｄと、ユーザに対する質問メッセージと、を表示装置１０６に表示する。そして、ユーザの操作によって入力装置１０４から入力される、特定の地名１１６ｄを表す入力信号を受信する。
【００３７】
対話入出力部１１３が表示する質問メッセージは、上記の解析結果に含まれるキーワード１１６ｃと地名１１６ｄとに基づいて、対話入出力部１１３が生成する。この質問メッセージは、解析結果に含まれる全ての地名１１６ｄのうち、ユーザへ推奨する移動先を対話入出力部１１３が絞り込むためのメッセージである。
【００３８】
具体的には、対話入出力部１１３は解析結果に含まれる全ての地名およびキーワードを列挙すると共に、移動先としたい地名を入力するようユーザに促す質問メッセージを生成する。ユーザは表示装置１０６に表示されたこの質問メッセージを視認した上で、入力装置１０４によっていずれかの地名を入力する。これにより、対話入出力部１１３はいずれかの地名を表す入力信号を受信することとなる。
【００３９】
対話入出力部１１３は、受信した入力信号を移動先選定部１１４へ出力する。移動先選定部１１４は、対話入出力部１１３が出力した入力信号が表す地名を、移動先として推奨する地名として選定する。そして、移動先出力部１１５が、移動先選定部１１４により選定された地名を表示装置１０６に表示することにより、ユーザへ推奨する移動先を提示する。
【００４０】
図７は、制御回路１０１による推奨処理のフローチャートである。制御回路１０１が不揮発性メモリ１０２に格納されている所定の制御プログラムを実行することにより図７の推奨処理が実行される。まずステップＳ７１０では、日常興味解析部１１２が、ＨＤＤ１０３から日常興味ＤＢ１１６を読み出す。ステップＳ７２０では、日常興味解析部１１２は、ステップＳ７１０で読み出した日常興味ＤＢ１１６に基づいて解析表１３１（図６）を作成する。ステップＳ７３０では、日常興味解析部１１２は、ステップＳ７２０で作成した解析表１３１から、レコード数１３１ｂが最も多い上位３件のレコードのジャンル名１３１ａを抽出する。
【００４１】
ステップＳ７４０では、日常興味解析部１１２は、日常興味ＤＢ１１６の全レコードのうち、ステップＳ７３０で抽出したジャンル名を有するレコードから１０件のレコードを抽出する。ステップＳ７５０では、日常興味解析部１１２は、ステップＳ７４０で抽出したレコードのキーワード１１６ｃおよび地名１１６ｄを対話入出力部１１３および移動先選定部１１４へ出力する。ステップＳ７６０では、対話入出力部１１３は、表示装置１０６へ質問メッセージとを表示する。ステップＳ７７０では、対話入出力部１１３は、入力装置１０４によりユーザが入力した入力信号を受信する。ステップＳ７８０では、移動先選定部１１４が、入力信号が表す地名をユーザへ推奨する移動先として選定する。ステップＳ７９０では、移動先出力部１１５が、表示装置１０６へ移動先を表示することにより、ユーザへ推奨する移動先を提示する。
【００４２】
上述した第１の実施の形態による推奨移動先情報配信システムによれば、次の作用効果が得られる。
（１）日常興味情報収集部１１１は、ＴＶ端末２００におけるユーザのＴＶ視聴履歴２０１と、Ｗｅｂ端末３００におけるユーザの検索履歴３０１と、に基づいて、関連する地名およびジャンル名を関連付けて日常興味ＤＢ１１６へ記憶させる。日常興味解析部１１２は、日常興味ＤＢ１１６に記憶されている複数の地名およびジャンル名を解析し、対話入出力部１１３は解析の結果に基づいてユーザに対し移動先の候補に関する情報を報知すると共に、ユーザからの入力装置１０４による入力信号を受信する。そして移動先選定部１１４が、対話入出力部１１３が受信した入力信号に基づいて移動先の選定を行い、移動先出力部１１５が、選定された推奨する移動先をユーザに対し提示する。このようにしたので、車両の運転時に限定されないユーザの嗜好を反映した移動先を、ユーザに対して推奨することが可能となる。
【００４３】
（２）日常興味解析部１１２は、日常興味ＤＢ１１６から抽出したレコードの地名１１６ｄと共に、キーワード１１６ｃも解析結果として出力する。対話入出力部１１３は、質問メッセージに地名１１６ｄおよびキーワード１１６ｃを含める。このようにしたので、ユーザは、報知された移動先がどのようなキーワードと関連する移動先なのかを把握することができ、よりユーザにとって適切な移動先を選択することが可能となる。
【００４４】
（第２の実施の形態）
図８は、本発明の第２の実施の形態である推奨移動先情報配信システムの構成を示す図である。なお、図１および図２に示す第１の実施の形態と同一の回路および装置には同一の符号を付し、説明を省略する。
【００４５】
第２の実施の形態に係る移動先推奨装置８００’は、第１の実施の形態に係る移動先推奨装置１００に加えて、ＴＶ視聴部１９１およびＷｅｂ閲覧部１９２を備える。ＴＶ視聴部１９１は、図１に示すＴＶ端末２００と同等のテレビ番組視聴機能を提供する。そして、ＴＶ端末２００が可搬記憶媒体１０７に記憶させていたＴＶ視聴履歴２０１を、可搬記憶媒体１０７ではなく、ＨＤＤ１０３内のＴＶ視聴履歴ＤＢ１９３へ格納する。
【００４６】
同様に、Ｗｅｂ閲覧部１９２は、図１に示すＷｅｂ端末３００と同等のウェブサイト閲覧機能を提供する。そして、Ｗｅｂ端末３００が可搬記憶媒体１０７に記憶させていた検索履歴３０１を、可搬記憶媒体１０７ではなく、ＨＤＤ１０３内の検索履歴ＤＢ１９４へ格納する。
【００４７】
移動先推奨装置８００の日常興味情報収集部１１１は、ＴＶ視聴履歴２０１および検索履歴３０１を可搬記憶媒体１０７から読み出す代わりに、ＨＤＤ１０３内のＴＶ視聴履歴ＤＢ１９３および検索履歴ＤＢ１９４から読み出す。
【００４８】
すなわち、本実施形態に係る移動先推奨装置８００は、第１の実施の形態に係る移動先推奨装置１００がＴＶ端末２００やＷｅｂ端末３００に組み込まれたものであるといえる。
【００４９】
上述した第２の実施の形態による推奨移動先情報配信システムによれば、第１の実施の形態による推奨移動先情報配信システムで得られる作用効果に加えて、次の作用効果が得られる。
（１）移動先推奨装置８００自身が、ＴＶ視聴履歴２０１や検索履歴３０１を記憶する動作を行う。このようにしたので、可搬記憶媒体１０７を持ち運ぶ必要が無くなり、利便性が向上する。
【００５０】
次のような変形も本発明の範囲内であり、変形例の一つ、もしくは複数を上述の実施形態と組み合わせることも可能である。
【００５１】
（変形例１）
第１の実施の形態では、日常興味情報収集部１１１は、可搬記憶媒体１０７を用いてＴＶ視聴履歴２０１や検索履歴３０１を取得するように構成していた。また、第２の実施の形態では、ＨＤＤ１０３によりＴＶ視聴履歴２０１や検索履歴３０１を取得するように構成していた。日常興味情報収集部１１１は、これら以外の手段により日常興味ＤＢ１１６を記憶するための情報の取得を行ってもよい。例えば、ネットワーク経由でＴＶ視聴履歴２０１等を受信して、日常興味ＤＢ１１６を記憶するようにしてもよい。また、日常興味ＤＢ１１６が、ＨＤＤ１０３ではなく外部の記憶装置に存在するようにし、ネットワーク経由で日常興味ＤＢ１１６への読み書きを行うようにしてもよい。その他、対話入出力部１１３による質問メッセージおよび入力信号の授受、移動先出力部１１５による移動先の推奨についても、ネットワーク経由で行うことが可能である。
【００５２】
（変形例２）
対話入出力部１１３が生成する質問メッセージは、地名１１６ｄとキーワード１１６ｃとを列挙したメッセージでなくてもよい。例えば、質問メッセージがキーワード１１６ｃを列挙したものであると共に、ユーザに対しいずれかのキーワード１１６ｃの入力を促すようなメッセージであってもよい。この場合、入力装置１０４からの入力信号は、いずれかのキーワード１１６ｃを表す信号である。移動先選定部１１４は、この入力信号が表すキーワード１１６ｃに関連付けられている地名１１６ｄを日常興味解析部１１２による解析結果から検索し、ユーザに推奨する移動先として選定する。
【００５３】
（変形例３）
第１の実施の形態および第２の実施の形態で説明した移動先推奨装置の機能を、経路誘導機能を搭載する車載型のナビゲーション装置に組み込んでもよい。この場合、移動先出力部１１５がユーザに対し提示した移動先が、自動的に経路誘導の目的地に設定されるようにしてもよい。
【００５４】
（変形例４）
第１の実施の形態および第２の実施の形態で説明した移動先推奨装置の機能を、ネットワーク経由で車載型のナビゲーション装置と通信可能なサーバ装置に組み込んでもよい。この場合、収集処理および推奨処理は、ナビゲーション装置との情報の授受により行われ、移動先出力部１１５はナビゲーション装置へ、推奨する移動先の情報を送信する。
【００５５】
（変形例５）
対話入出力部１１３による質問メッセージの表示と、それに対する入力装置１０４からの入力は、複数回繰り返すようにしてもよい。また、対話入出力部１１３は、自然言語インタフェース等によりユーザと対話を行うようにしてもよい。
【００５６】
（変形例６）
上述した第１の実施の形態および第２の実施の形態では、ＴＶ端末２００によるＴＶ視聴履歴２０１と、Ｗｅｂ端末３００による検索履歴３０１と、を収集処理の対象としていた。日常興味情報収集部１１１は、これ以外の電子機器および操作履歴に基づき日常興味ＤＢ１１６を更新してもよい。
【００５７】
本発明の特徴を損なわない限り、本発明は上記実施の形態に限定されるものではなく、本発明の技術的思想の範囲内で考えられるその他の形態についても、本発明の範囲内に含まれる。
【符号の説明】
【００５８】
１００、８００…移動先推奨装置、１０１…制御回路、１０２…不揮発性メモリ、１０３…ハードディスクドライブ、１０４…入力装置、１０５…可搬記憶媒体インタフェース、１０６…表示装置、１０７…可搬記憶媒体、１０８…番組情報取得装置、１１１…日常興味情報収集部、１１２…日常興味解析部、１１３…対話入出力部、１１４…移動先選定部、１１５…移動先出力部、１１６…日常興味データベース、１１７…キーワードデータベース、１１８…地名データベース、１２１…番組視聴情報収集部、１２２…Ｗｅｂ検索情報収集部、１２３…Ｗｅｂ購買情報収集部、２００…ＴＶ端末、２０１…ＴＶ視聴履歴、３００…Ｗｅｂ端末、３０１…検索履歴
【図１】
2011113393.tif 000003
【図２】
2011113393.tif 000004
【図３】
2011113393.tif 000005
【図４】
2011113393.tif 000006
【図５】
2011113393.tif 000007
【図６】
2011113393.tif 000008
【図７】
2011113393.tif 000009
【図８】
2011113393.tif 000010